(57)【要約】【課題】Ｘ線により検知できるＸ線造影テープを縫着したガーゼを提供する。【解決手段】綿素材から成る一辺が２０ｃｍの正方形のガーゼ地１２の一辺に、長さ３０ｃｍ程度に切断したＸ線造影テープ１を縫い付けている。この際に、Ｘ線造影テープ１の内、１０ｃｍ程度がガーゼ地１２の一辺に沿って縫着するようにする。そして、Ｘ線造影テープ付ガーゼをＸ線造影テープ１を用いて丸めて縛り、外科手術の際に吸血、吸液等に使用する。万一、このガーゼ１１を体内に置き忘れても、Ｘ線撮影によりＸ線造影テープ１を検知できる。【選択図】        図４
2004208774.tif 000002
【特許請求の範囲】
【請求項１】
Ｘ線を透過する生地から成るテープ地に沿って、Ｘ線を透過し難いＸ線造影糸を付着したことを特徴とするＸ線造影テープ。
【請求項２】
前記Ｘ線造影糸は前記テープ地に縫い込んだ請求項１に記載のＸ線造影テープ。
【請求項３】
前記Ｘ線造影糸は前記テープ地と異なる色とした請求項１に記載のＸ線造影テープ。
【請求項４】
Ｘ線を透過する生地から成るテープ地に沿って、Ｘ線を透過し難いＸ線造影糸を編み込んだＸ線造影テープをガーゼ地に縫着したことを特徴とするＸ線造影テープを縫着したガーゼ。
【請求項５】
前記Ｘ線造影テープは、前記ガーゼ地に対し所定長縫着した請求項４に記載のＸ線造影テープを縫着したガーゼ。
【発明の詳細な説明】
【０００１】
【発明の属する技術分野】
本発明は、例えば外科手術の際に用いるＸ線造影テープ及び該テープを縫着したガーゼに関するものである。
【０００２】
【従来の技術】
従来から外科手術においては、血液や体液を吸収するために、或いは腹腔組織の保護や乾燥防止のために、例えばガーゼが多用されており、このガーゼを丸めて縛る所謂ロールガーゼとするために、綿製テープが用いられている。この場合に、ガーゼ地に予め綿製テープを縫着したものも知られている。
【０００３】
【発明が解決しようとする課題】
しかしながら、これらの従来のテープやガーゼは使用後に吸収された血液、体液の色に紛れて、手術後の回収を忘れてしまうことがある。
【０００４】
本発明の目的は、上述の課題を解決し、万一に体内にテープやガーゼを置き忘れた場合においても、後のＸ線検査により発見し得るＸ線造影テープ及び該テープを縫着したガーゼを提供することにある。
【０００５】
【課題を解決するための手段】
上記目的を達成するための請求項１に係る本発明は、Ｘ線を透過する生地から成るテープ地に沿って、Ｘ線を透過し難いＸ線造影糸を付着したことを特徴とするＸ線造影テープである。
【０００６】
請求項２に係る本発明は、前記Ｘ線造影糸は前記テープ地に縫い込んだ請求項１に記載のＸ線造影テープである。
【０００７】
請求項３に係る本発明は、前記Ｘ線造影糸は前記テープ地と異なる色とした請求項１に記載のＸ線造影テープである。
【０００８】
請求項４に係る本発明は、Ｘ線を透過する生地から成るテープ地に沿って、Ｘ線を透過し難いＸ線造影糸を編み込んだＸ線造影テープをガーゼ地に縫着したことを特徴とするＸ線造影テープを縫着したガーゼである。
【０００９】
請求項５に係る本発明は、前記Ｘ線造影テープは、前記ガーゼ地に対し所定長縫着した請求項４に記載のＸ線造影テープを縫着したガーゼである。
【００１０】
【発明の実施の形態】
本発明を図示の実施の形態に基づいて詳細に説明する。
図１はＸ線造影テープの概略図を示しており、Ｘ線造影テープ１は綿素材から成る例えば幅１ｃｍに織り上げたテープ地２の中央に沿って、例えばポリプロピレン繊維から成り、バリウムを含浸しＸ線を遮断する性能を有するＸ線造影糸３が縫い込まれている。そして、Ｘ線造影糸３は白いテープ地２に対し、例えば青色に着色されており、視認によっても確認できるようになっている。
このＸ線造影テープ１は、テープ地２にＸ線造影糸３を縫い込んだが、テープ地２を製造する際に、一緒に編み込むこともできる。
【００１１】
このようにして製造したＸ線造影テープ１は、外科手術において、ガーゼを丸めて縛ったり、臓器同士を縛るために用いることができる。万一に、手術後に体内に置き忘れた場合においても、Ｘ線撮影でＸ線造影糸３を検知できるので、この置き忘れを発見することができる。
【００１２】
本実施の形態におけるＸ線造影テープ１は、テープ地２に１本のＸ線造影糸３を縫い込んだが、複数本のＸ線造影糸３を縫い込んでもよい。或いは、テープ地１に沿って直線状でなくジグザグ状とすることもできる。
【００１３】
図２はＸ線造影テープ１を縫着したＸ線造影テープ付ガーゼ１１の概略図を示している。例えば、綿素材から成る一辺が２０ｃｍの正方形のガーゼ地１２の一辺に沿って、長さ３０ｃｍ程度に切断した図１に示すＸ線造影テープ１が縫い付けられている。この際に、Ｘ線造影テープ１のうちの１０ｃｍ程度がガーゼ地１２に縫い付けられ、残りの約２０ｃｍはテープ状に外側にはみ出している。なお、このＸ線造影テープ１はガーゼ地１２の片側だけでなく、１本のＸ線造影テープ１を用いて図３に示すように、両側にはみ出すようにしてもよい。
【００１４】
図４は図２に示すＸ線造影テープ付ガーゼ１１を、縫着したＸ線造影テープ１を用いて丸めて縛った状態のロールガーゼの概略図を示しており、この状態で外科手術の際に手術部位に当てて吸血、吸液等に使用する。
【００１５】
また、臓器組織の保護や乾燥防止などに用いる際には、必要に応じてガーゼ地１２からはみ出しているＸ線造影テープ１が邪魔にならないように、図５に示すように切断をすることもあるが、このＸ線造影テープ１の端部を切断しても、ガーゼ地１２にはＸ線造影テープ１の一部が残っているため、後でガーゼ１１の体内における存否をＸ線撮影により検知することができる。
【００１６】
このように、Ｘ線造影テープ付ガーゼ１１に縫着したＸ線造影テープ１のはみ出し部分は、用途や医師の好みに応じて切断したり、或いは長さを調整して使用することが可能である。
【００１７】
なお、本実施の形態においては、ガーゼ地１２は一辺の長さを２０ｃｍ程度の大きさと説明したが、その他の各種の大きさ、形状のガーゼ地を用いることもできることは勿論である。
【００１８】
また、Ｘ線造影糸３としてポリプロピレン繊維を用いたが、ポリプロピレン以外でも、人体に悪影響を及ぼす虞れが少なく、Ｘ線で検知できる素材を用いることができる。
【００１９】
【発明の効果】
以上説明したように本発明に係るＸ線造影テープ及び該テープを縫着したガーゼは、Ｘ線造影糸を含んでいるため、外科手術において万一に体内に置き忘れたとしても、後にＸ線撮影によりこの置き忘れを発見することができる。
【図面の簡単な説明】
【図１】Ｘ線造影テープの概略図である。
【図２】Ｘ線造影テープを縫着したＸ線造影テープ付ガーゼの概略図である。
【図３】Ｘ線造影テープを縫着したＸ線造影テープ付ガーゼの変形例の概略図である。
【図４】Ｘ線造影テープを用いて丸めて縛った状態のＸ線造影テープ付ガーゼの概略図である。
【図５】Ｘ線造影テープを切断した状態のＸ線造影テープ付ガーゼの概略図である。
【符号の説明】
１  Ｘ線造影テープ
２  テープ地
３  Ｘ線造影糸
１１  Ｘ線造影テープ付ガーゼ
１２  ガーゼ地
【図１】
2004208774.tif 000003
【図２】
2004208774.tif 000004
【図３】
2004208774.tif 000005
【図４】
2004208774.tif 000006
【図５】
2004208774.tif 000007